(57)【特許請求の範囲】
【請求項１】
ハンドルに連動回転するロ−タの一対のベ−ル支持腕の先端部外側に一方のベ−ル支持部材と他方のベ−ル支持部材の基部を釣糸の巻き取り状態と放出状態に反転自在に軸承すると共に、前記一方のベ−ル支持部材にベ−ル取付部及び釣糸案内部が取付けられ、該釣糸案内部を介してスプ−ルに釣糸を巻き取るようにした魚釣用スピニングリ−ルにおいて、前記一方のベ−ル支持部材に取付けられたベ−ル取付部における釣糸案内部中心からスプ−ルの釣糸繰り出し側前方に偏芯した位置にベ−ルを一体的に形成し、前記ベ−ル及びベ−ル取付部の前面を突出しない形状に形成したことを特徴とする魚釣用スピニングリ−ル。
【発明の詳細な説明】
【０００１】
【発明の属する技術分野】
この発明は、ベ−ル取付部及び釣糸案内部を有する一方の支持部材に釣糸の絡み付きを防止するように改良した魚釣用スピニングリ−ルに関する。
【０００２】
【従来の技術】
従来ハンドルに連動回転するロ−タの先端部に、釣糸案内部を有する一方のベ−ル支持部材を釣糸の巻き取り状態と放出状態に反転自在に支持したスピニングリ−ルが例えば実開平４−６５０６８  号公報で知られている。
この公報の釣糸案内部を有するベ−ル支持部材の構成は、一方のベ−ル支持部材の先端に釣糸案内部とベ−ル取付部が取り付けられ、ベ−ル取付部のリ−ル本体側にベ−ルの一側基部が取り付けられている。
【０００３】
本来放出状態から巻き取り状態に反転される時、ベ−ルで釣糸が掬くい上げられると、図１１（ａ）で釣糸１５は１点鎖線のようにスプ−ル３から釣糸案内部７に直進する糸路を通る筈である。
しかし、釣糸１５の撚れ、糸癖、張力変化等の影響により、釣糸が図１１（ａ）の実線のように、スプ−ル３に巻回された釣糸１５の引出し側ａの先にル−プｂ′が出来て、ル−プｂ′が一方のベ−ル支持部材４″の先端部側からベ−ル取付部２０を乗り越えると、図１１（ｂ）のように一方のベ−ル支持部材４″からベ−ル２１の一側基部に巻き付いた状態となる。
【０００４】
又、図１２（ａ）のように、スプ−ル３に巻回された釣糸１５の引出し側ａの先にル−プｂが出来て、ル−プｂ″がベ−ル取付部２０側から一方のベ−ル支持部材４″の先端部を乗り越えると、図１２（ｂ）のようにベ−ル２１の基部から一方のベ−ル支持部材４″に巻き付いた状態となる。
更にル−プｂ′、ｂ″が出来る時、撚れ、糸癖、張力変化等の影響で捻りが作用した状態でル−プｂ′、ｂ″が出来て一方のベ−ル支持部材４″の先端部とベ−ル取付部２０を乗り越えることがある。
前記図１１（ｂ）、図１２（ｂ）のように釣糸が巻き付くと、釣糸１５を巻き取ったり、繰り出す操作が出来なくなったり、糸切れが発生してしまう等の問題がある。
【０００５】
そこで、このような糸絡みの不具合を解消するために糸絡み防止部材をベ−ル取付部とベ−ルとの間に設けたものが実開平３−７４２６０  号公報で提案されているが、構造が複雑で容易に製造出来ないと共に、別部材の装着により前方に重量が偏位してしまってロ−タ回転バランスの均衡化を容易に図ることが出来ない等の課題が残されている。
又、ベ−ル取付部をロ−タの後方側に偏芯させて該ベ−ル取付部の前面を傾斜状の膨大面に形成したものが実開平３−１１７４６２号公報で提案されているが、ラインロ−ラ装着部がベ−ルより前方に突出する構成となっていると共に、傾斜状の膨大面と一方のベ−ル支持部材の腕部が平行に形成されているので、ベ−ル取付部と一方のベ−ル支持部材との前方に釣糸がル−プ状に絡み易い等の糸絡み現象が充分に解決されておらず、トラブルなく円滑な巻き取り操作を行えない等の課題が残されている。
【０００６】
【発明が解決しようとする課題】
解決しようとする問題点は、釣糸案内部を有する一方のベ−ル支持部材の、一方のベ−ル支持部材の先端部とベ−ル取付部とベ−ルに釣糸が糸絡みして、釣糸を巻き取ったり、繰り出す操作が出来なくなったり、糸切れが発生してしまうことである。
【０００７】
本発明の目的は前記欠点に鑑み、一方のベ−ル支持部材の先端部とベ−ル取付部とベ−ルに釣糸が糸絡みしない魚釣用スピニングリ−ルを提供することである。
【０００８】
【課題を解決するための手段】
上記課題を解決するために、本発明はハンドルに連動回転するロ−タの一対のベ−ル支持腕の先端部外側に一方のベ−ル支持部材と他方のベ−ル支持部材の基部を釣糸の巻き取り状態と放出状態に反転自在に軸承すると共に、前記一方のベ−ル支持部材にベ−ル取付部及び釣糸案内部が取付けられ、該釣糸案内部を介してスプ−ルに釣糸を巻き取るようにした魚釣用スピニングリ−ルにおいて、前記一方のベ−ル支持部材に取付けられたベ−ル取付部における釣糸案内部中心からスプ−ルの釣糸繰り出し側前方に偏芯した位置にベ−ルを一体的に形成し、前記ベ−ル及びベ−ル取付部の前面を突出しない形状に形成したことを要旨とするものである。
【０００９】
【発明の実施の形態】
本発明は、ベ−ル取付部６、６′、４ｊの釣糸案内部７、４ｉ側でかつ釣糸案内部中心βからベ−ル６ｅ、４ｋ、８の中心αが偏芯したスプ−ル３の釣糸繰り出し側前方位置にベ−ル６ｅ、４ｋ、８が一体的に形成され、かつベ−ル６ｅ、４ｋ、８とベ−ル取付部６、６′、４ｊの太径部の前面が突出しない平らな面６ｆ、４ｍ、８ｅに形成されて突出しない形状となっているので、ベ−ル取付部６、６′、４ｊと一方のベ−ル支持部材４、４′との前方にル−プｂが出来て絡もうとしてもすぐに解けて絡み付くことが無く円滑な巻き取り操作が行える。
【００１０】
【実施例】
以下、図示の実施例によって本発明を説明すると、図１から図６は第１実施例で、図１は魚釣用スピニングリ−ルの要部断面側面図、図２は釣糸のル−プが一方のベ−ル支持部材の先端部に掛かったスプ−ルとロ−タと一方のベ−ル支持部材と釣糸案内部とベ−ル取付部とベ−ルの要部平面図、図３はスプ−ルとロ−タと他方のベ−ル支持部材とベ−ルの要部平面図、図４は魚釣用スピニングリ−ルの正面図、図５は一方のベ−ル支持部材と釣糸案内部とベ−ル取付部とベ−ルの拡大要部断面平面図、図６は釣糸が釣糸案内部に移動した一方のベ−ル支持部材とスプ−ルとロ−タとベ−ル取付部とベ−ルの要部平面図である。
【００１１】
魚釣用スピニングリ−ルはリ−ル本体１の前面に突出した回転筒軸１０にロ−タ２が固定され、回転筒軸１０の中を通してロ−タ２の前側に突出したスプ−ル軸１１にスプ−ル３が取り付けられている。
ロ−タ２はハンドル１２の回転で図示しない駆動機構を介して回転され、スプ−ル３はハンドル１２の回転で図示しないオシレ−ト機構を介して前後に往復動される。
ロ−タ２の一対のベ−ル支持腕２ａ、２ｂの先端部外側に反転自在に一方のベ−ル支持部材４と他方のベ−ル支持部材５の基部４ａ、５ａが螺子１３、１４で軸承され、図２、図３の実線の釣糸の巻き取り状態と２点鎖線の放出状態に反転される。
スプ−ル３の外側は前側の鍔部３ａと釣糸巻回胴部３ｂと後側の大径筒部３ｃとで形成されている。
【００１２】
図５で一方のベ−ル支持部材４の先端部４ｂに透孔４ｃと、外側の凹部４ｄと、内側の大小の凹部４ｅ、４ｆが穿設されてベ−ル取付部６とラインロ−ラからなる釣糸案内部７が取り付けられている。
一方のベ−ル支持部材４の基部４ａは円板状に形成されて中心に透孔４ｇが穿設されている。
ベ−ル取付部６にはラインロ−ラからなる釣糸案内部７を回転自在に軸承する軸部６ａとベ−ルが一体に形成されている。
【００１３】
ベ−ル取付部６は軸部６ａと、軸部６ａの中心の螺子穴６ｂと、一側太径部６ｃ端面の凹部６ｄと、太径部６ｃに一体に形成されたベ−ル６ｅと、太径部６ｃ端部からベ−ル６ｅに至る外側の突出しない平らな面６ｆと内側の傾斜面６ｇとで形成されている。
傾斜面６ｇは釣糸１５がベ−ル６ｅからラインロ−ラからなる釣糸案内部７にスム−ズに移動出来るなだらかな形状に形成されている。
ベ−ル６ｅは適宜湾曲して形成されて他端は他方のベ−ル支持部材５の筒部５ｂに取り付けられている。
ベ−ル６ｅの外径の中心αは釣糸案内部７の中心βから偏芯したスプ−ル３の釣糸繰り出し側前方位置になるように太径部６ｃにベ−ル６ｅが形成されている。
【００１４】
一方のベ−ル支持部材４にベ−ル取付部６とラインロ−ラからなる釣糸案内部７が取り付けられる時は、軸部６ａにカラ−１６とラインロ−ラからなる釣糸案内部７とカラ−１７が嵌合されて軸部６ａの先端が凹部４ｄに嵌合され、一方のベ−ル支持部材４の外側から螺子１８が透孔４ｃに挿入されて螺子穴６ｂに螺合される。
【００１５】
図６で一方のベ−ル支持部材４とベ−ル取付部６とラインロ−ラからなる釣糸案内部７が２点鎖線の放出状態から実線の巻き取り状態に反転されると、釣糸巻回胴部３ｂに巻回された釣糸１５は引出し側ａからベ−ル６ｅで掬くい上げられてラインロ−ラからなる釣糸案内部７に載せられて前方に引き出される。
釣糸１５がベ−ル６ｅで掬くい上げられる時、撚れ、糸癖、張力変化等の影響で図２のようにル−プｂが出来て一方のベ−ル支持部材４の先端に懸かることがある。
【００１６】
しかし、ベ−ル取付部６のベ−ル６ｅは、中心αが釣糸案内部７の中心βから偏芯したスプ−ル３の釣糸繰り出し側前方位置になるように太径部６ｃに形成されると共に、太径部６ｃ端部からベ−ル６ｅに至る外側は突出しない平らな面６ｆに形成され、太径部６ｃの内側は傾斜面６ｇで形成されているので、釣糸１５が前方に引かれたり、釣糸巻回胴部３ｂに巻き取られると、釣糸１５は一方のベ−ル支持部材４の先端から外れてラインロ−ラからなる釣糸案内部７に載せられて前方に引き出される。
【００１７】
魚釣用スピニングリ−ルが前記のように構成されると、ベ−ル取付部６の釣糸案内部７側でかつ釣糸案内部中心βからベ−ル６ｅの中心αが偏芯したスプ−ル３の釣糸繰り出し側前方位置にベ−ル６ｅが一体的に形成され、かつベ−ル６ｅとベ−ル取付部６の太径部６ｃの前面が突出しない平らな面６ｆに形成されて突出しない形状となっているので、ベ−ル取付部６と一方のベ−ル支持部材４との前方にル−プｂが出来て絡もうとしてもすぐに解けて絡み付くことが無く円滑な巻き取り操作が行える。
【００１８】
図７から図９は第２実施例で、図７は一方のベ−ル支持部材と釣糸案内部とベ−ル取付部とベ−ルの拡大要部平面図、図８は一方のベ−ル支持部材と釣糸案内部とベ−ル取付部とベ−ルの拡大要部断面平面図、図９は図７のＦ９−Ｆ９線側面図である。
【００１９】
一方の一方のベ−ル支持部材４の先端部４ｂに透孔４ｃと、外側の凹部４ｄと、内側の大小の凹部４ｅ、４ｆが穿設され、先端部４ｂから横方向に断面円弧状の連結部４ｈが突出形成されて一方のベ−ル支持部材４の先端部４ｂにベ−ル取付部６′とラインロ−ラからなる釣糸案内部７が取り付けられている。
一方のベ−ル支持部材４の基部４ａは円板状に形成されて中心に透孔４ｇが穿設されている。
ベ−ル取付部６′にはラインロ−ラからなる釣糸案内部７を回転自在に軸承する軸部６ａとベ−ル８との連結部が形成されている。
【００２０】
ベ−ル取付部６′は軸部６ａと、軸部６ａの中心の透孔６ｈと、一側太径部６ｃ端面の凹部６ｄと、太径部６ｃ外周に円弧状凹部６ｉと、太径部６ｃに角形連結突部６ｊとが形成されている。
ベ−ル８は適宜湾曲したベ−ル部８ａと、一側に太径部８ｂと、太径部８ｂの端面の角形連結凹部８ｃと、螺子穴８ｄと、太径部８ｂからベ−ル部８ａに至る外側の突出しない平らな面８ｅと内側の傾斜面８ｆとで形成されている。
傾斜面８ｆは釣糸１５がベ−ル部８ａからラインロ−ラからなる釣糸案内部７にスム−ズに移動出来るなだらかな形状に形成されている。
ベ−ル８の他端は他方のベ−ル支持部材５の筒部５ｂに取り付けられている。
ベ−ル部８ａの外径の中心αは釣糸案内部７の中心βから偏芯したスプ−ル３の釣糸繰り出し側前方位置になるように太径部８ｂにベ−ル部８ａが一体に形成されている。
他の構成は前記第１実施例と略同一である。
【００２１】
一方のベ−ル支持部材４にベ−ル取付部６とラインロ−ラからなる釣糸案内部７とベ−ル８が取り付けられる時は、軸部６ａにカラ−１６とラインロ−ラからなる釣糸案内部７とカラ−１７が嵌合されて軸部６ａの先端が凹部４ｄに嵌合され、ベ−ル支持部材４の外側から螺子１９が透孔４ｃと透孔６ｈに挿入されて螺子穴８ｄに螺合される。
断面円弧状の連結部４ｈは角形連結凹部８ｃに嵌められてラインロ−ラからなる釣糸案内部７の前面が覆われる。
【００２２】
図１０は第３実施例で、図１０は一方のベ−ル支持部材とロ−ラ形状の釣糸案内部とベ−ル取付部とベ−ルの拡大要部平面図である。
【００２３】
一方のベ−ル支持部材４′に釣糸案内部４ｉとベ−ル取付部４ｊとベ−ル４ｋが一体に形成されている。
ベ−ル取付部４ｊには太径部からベ−ル４ｋに至る外側の突出しない平らな面４ｍと内側の傾斜面４ｎとで形成されている。
傾斜面４ｎは釣糸１５がベ−ル４ｋからロ−ラ形状の釣糸案内部４ｉにスム−ズに移動出来るなだらかな形状に形成されている。
ベ−ル４ｋの外径の中心αは釣糸案内部４ｉの中心βから偏芯したスプ−ル３の釣糸繰り出し側前方位置になるようにベ−ル取付部４ｊの太径部にベ−ル部４ｋが一体に形成されている。
ベ−ル４ｋは適宜湾曲して他端は他方のベ−ル支持部材５の筒部５ｂに取り付けられている。
他の構成は前記第１実施例と略同一である。
【００２４】
【発明の効果】
本発明は、以上説明したような形態で実施され、以下に記載されるような効果を奏する。
【００２５】
ベ−ル取付部の釣糸案内部側でかつ釣糸案内部中心からベ−ルの中心が偏芯したスプ−ルの釣糸繰り出し側前方位置にベ−ルが一体的に形成され、かつベ−ルとベ−ル取付部の太径部の前面が突出しない平らな面に形成されて突出しない形状となっているので、ベ−ル取付部と一方のベ−ル支持部材との前方にル−プが出来て絡もうとしてもすぐに解けて絡み付くことが無く円滑な巻き取り操作が行える。
【図面の簡単な説明】
【図１】第１実施例で、魚釣用スピニングリ−ルの要部断面側面図である。
【図２】同釣糸のル−プが一方のベ−ル支持部材の先端部に掛かったスプ−ルとロ−タとベ−ル支持部材と釣糸案内部とベ−ル取付部とベ−ルの要部平面図である。
【図３】同スプ−ルとロ−タと他方のベ−ル支持部材とベ−ルの要部平面図である。
【図４】同魚釣用スピニングリ−ルの正面図である。
【図５】同一方のベ−ル支持部材と釣糸案内部とベ−ル取付部とベ−ルの拡大要部断面平面図である。
【図６】同釣糸が釣糸案内部に移動した一方のベ−ル支持部材とスプ−ルとロ−タとベ−ル取付部とベ−ルの要部平面図である。
【図７】第２実施例で、一方のベ−ル支持部材と釣糸案内部とベ−ル取付部とベ−ルの拡大要部平面図である。
【図８】同一方のベ−ル支持部材と釣糸案内部とベ−ル取付部とベ−ルの拡大要部断面平面図である。
【図９】同図７のＦ９−Ｆ９線側面図である。
【図１０】第３実施例で、一方のベ−ル支持部材とロ−ラ形状の釣糸案内部とベ−ル取付部とベ−ルの拡大要部平面図である。
【図１１】従来のスプ−ルとロ−タと一方のベ−ル支持部材と釣糸案内部とベ−ル取付部とベ−ルの要部平面図で（ａ）は釣糸のル−プが一方のベ−ル支持部材の先端部とベ−ル取付部に掛かった図で（ｂ）はベ−ルに釣糸が絡んだ図である。
【図１２】同他のスプ−ルとロ−タと一方のベ−ル支持部材と釣糸案内部とベ−ル取付部とベ−ルの要部平面図で（ａ）は釣糸のル−プが一方のベ−ル支持部材の先端部とベ−ル取付部に掛かった図で（ｂ）はベ−ルと一方のベ−ル支持部材に釣糸が絡んだ図である。
【符号の説明】
２  ロ−タ
３  スプ−ル
４  一方のベ−ル支持部材
４ｂ  先端部
４′  他方のベ−ル支持部材
６、６′、４ｊ  ベ−ル取付部
６ｅ、４ｋ、８  ベ−ル
６ｆ、４ｍ、８ｅ  突出しない平らな面
７、４ｉ  釣糸案内部
１２  ハンドル
１５  釣糸
α  ベ−ルの中心
β  釣糸案内部中心
【図１】
0003550023.tif 000002
【図２】
0003550023.tif 000003
【図３】
0003550023.tif 000004
【図４】
0003550023.tif 000005
【図５】
0003550023.tif 000006
【図６】
0003550023.tif 000007
【図７】
0003550023.tif 000008
【図８】
0003550023.tif 000009
【図９】
0003550023.tif 000010
【図１０】
0003550023.tif 000011
【図１１】
0003550023.tif 000012
【図１２】
0003550023.tif 000013